(57)【要約】【課題】光学素子のリサイクル、再利用および分別を容易に行うことができる光学素子の分別方法、光学素子のリサイクル方法、光学素子の再利用方法、光学素子包括体、照明装置および表示装置を提供する。【解決手段】光学素子包括体２の包括部材２２に、識別素子４１を設けている。識別素子４１に格納されている情報に基づいて、光学素子包括体２の内包物の光学素子２４のうち、リサイクル可能な光学素子２４を特定する。【選択図】図３
2010023304.tif 000002
【特許請求の範囲】
【請求項１】
１または２以上の光学素子と、前記光学素子を包括する包括部材とを有する光学素子包括体のうちの前記包括部材に、前記１または２以上の光学素子のうちリサイクル可能な光学素子および該光学素子の材質を特定する情報を格納した識別素子を設け、
前記識別素子に格納した情報を外部から読み取ることによって、前記情報を認識し、
認識した前記情報に基づいて前記リサイクル可能な光学素子を分別し、リサイクルする光学素子のリサイクル方法。
【請求項２】
前記リサイクル可能な光学素子は、単一の材質で一体形成されている
請求項１記載の光学素子のリサイクル方法。
【請求項３】
前記リサイクル可能な光学素子は、プリズムシート、ムラ消しシート、拡散シート、拡散板または反射型偏光子である
請求項１記載の光学素子のリサイクル方法。
【請求項４】
前記情報に基づいて、複数の前記リサイクル可能な光学素子を材質ごとに分別し、リサイクルする
請求項１記載の光学素子のリサイクル方法。
【請求項５】
さらに、前記リサイクル可能な光学素子の機能、スペック、サイズ、重量、型番、モデル、製造者、製造地および製造時期の少なくとも一に関する情報を、前記識別素子に格納した
請求項１記載の光学素子のリサイクル方法。
【請求項６】
前記識別素子は、バーコードまたは２次元コードである
請求項１記載の光学素子のリサイクル方法。
【請求項７】
前記識別素子は、ＩＣタグである
請求項１記載の光学素子のリサイクル方法。
【請求項８】
１または２以上の光学素子と、前記光学素子を包括する包括部材とを有する光学素子包括体のうちの前記包括部材に、前記１または２以上の光学素子のうち再利用可能な光学素子および該光学素子の機能を特定する情報を格納した識別素子を設け、
前記識別素子に格納した情報を外部から読み取ることによって、前記情報を認識し、
認識した前記情報に基づいて、前記再利用可能な光学素子を分別し、再利用する光学素子の再利用方法。
【請求項９】
前記情報に基づいて、複数の前記再利用可能な光学素子を同じ機能ごとに分別し、再利用する
請求項８記載の光学素子の再利用方法。
【請求項１０】
さらに、前記再利用可能な光学素子の材質、スペック、サイズ、重量、型番、モデル、製造者、製造地および製造時期の少なくとも一に関する情報を、前記識別素子に格納した請求項８記載の光学素子の再利用方法。
【請求項１１】
前記再利用可能な光学素子を分別する際、またはその前後に、前記再利用可能な光学素子の検査を行い、前記光学素子が再利用可能な場合に前記光学素子の再利用を行う
請求項８記載の光学素子の再利用方法。
【請求項１２】
１または２以上の光学素子と、前記光学素子を包括する包括部材とを有する光学素子包括体のうちの前記包括部材に、前記１または２以上の光学素子のうち再利用可能な光学素子および該光学素子の機能を特定する情報を格納した識別素子を設け、
前記識別素子に格納した情報を外部から読み取ることによって、前記情報を認識し、
前記情報に基づいて前記再利用可能な光学素子を分別し、
前記再利用可能な光学素子を分別する際、またはその前後に、前記再利用可能な光学素子の検査を行い、前記光学素子が再利用不可能な場合に前記光学素子をリサイクルする光学素子のリサイクル方法。
【請求項１３】
複数の光学素子と、前記光学素子を包括する包括部材とを有する光学素子包括体のうちの前記包括部材に、前記複数の光学素子のうち、リサイクル可能な第１の光学素子および該第１の光学素子の材質を特定する第１の情報、並びに前記複数の光学素子のうち、再利用可能な第２の光学素子および該第２の光学素子の機能を特定する第２の情報を格納した識別素子を設け、
前記識別素子に格納した前記第１の情報および前記第２の情報を外部から読み取ることによって、前記第１の情報および前記第２の情報を認識し、
認識した前記第１の情報および前記第２の情報に基づいて、前記第１の光学素子および前記第２の光学素子を分別する光学素子の分別方法。
【請求項１４】
１または２以上の光学素子と、前記光学素子を包括する包括部材とを有し、
前記包括部材には、識別素子が設けられており、
前記識別素子には、前記１または２以上の光学素子のうち、リサイクルまたは再利用可能な光学素子およびその材質若しくは機能を特定する情報が格納されている光学素子包括体。
【請求項１５】
１または２以上の光学素子、および、前記光学素子を包括する包括部材を有し、光源から発せられた光の入射面と出射面とを備え、
前記入射面側の包括部材の周縁部に、識別素子が設けられ、
前記識別素子には、前記１または２以上の光学素子のうち、リサイクルまたは再利用可能な光学素子およびその材質若しくは機能を特定する情報が格納され
前記１または２以上の光学素子のうち少なくとも一は、拡散機能を有する光学素子であり、
前記光源点灯時に、上記拡散機能を有する光学素子が光を散乱させて、前記光学素子包括体の出射面側からの前記識別素子の像を実質的に視認できないものとした
光学素子包括体。
【請求項１６】
１または２以上の光学素子、および、前記光学素子を包括する包括部材を有し、光源から発せられた光の入射面と出射面とを備え、
前記入射面側の包括部材の周縁部に、識別素子が設けられ、
前記識別素子には、前記１または２以上の光学素子のうち、リサイクルまたは再利用可能な光学素子およびその材質若しくは機能を特定する情報が格納され
前記１または２以上の光学素子のうち少なくとも一は、拡散機能を有する光学素子であり、
前記光源点灯時に、上記拡散機能を有する光学素子が光を散乱させて、前記光学素子包括体の出射面側からの前記識別素子の像を実質的に視認できないものとした光学素子包括体
を有する照明装置。
【請求項１７】
１または２以上の光学素子、および、前記光学素子を包括する包括部材を有し、光源から発せられた光の入射面と出射面とを備え、
前記入射面側の包括部材の周縁部に、識別素子が設けられ、
前記識別素子には、前記１または２以上の光学素子のうち、リサイクルまたは再利用可能な光学素子およびその材質若しくは機能を特定する情報が格納され
前記１または２以上の光学素子のうち少なくとも一は、拡散機能を有する光学素子であり、
前記光源点灯時に、上記拡散機能を有する光学素子が光を散乱させて、前記光学素子包括体の出射面側からの前記識別素子の像を視認できないものとした光学素子包括体
を搭載した表示装置。
【請求項１８】
光源と、１または２以上の光学素子、および、前記光学素子を包括する包括部材を有し、前記光源から発せられた光の入射面と出射面とを備えた光学素子包括体とを含む表示装置のうちの、前記包括部材、または前記光学素子包括体を除く表示装置の一部分に、
前記表示装置が前記光学素子包括体を有することを示す情報を格納した識別素子を設け、
前記識別素子に格納した情報を外部から読み取ることにより、前記情報を認識し、
認識した前記情報に基づいて、前記光学素子包括体を前記表示装置から取り外す光学素子包括体の再利用方法。
【請求項１９】
前記光学素子包括体を取り外した後に、前記光学素子包括体の検査を行う請求項１８記載の光学素子包括体の再利用方法。
【請求項２０】
さらに、前記光学素子包括体の構成、スペック、サイズ、重量、型番、モデル、製造者、製造地および製造時期の少なくとも一に関する情報を、前記識別素子に格納した請求項１８記載の光学素子包括体の再利用方法。
【請求項２１】
さらに、前記光学素子の材質、機能、スペック、サイズ、重量、型番、モデル、製造者、製造置および製造時期の少なくとも一に関する情報を、前記識別素子に格納した請求項１８記載の光学素子包括体の再利用方法。
【請求項２２】
光源と、１または２以上の光学素子、および、前記光学素子を包括する包括部材を有し、前記光源から発せられた光の入射面と出射面とを備えた光学素子包括体とを含む照明装置のうちの、前記包括部材、または前記光学素子包括体を除く前記照明装置の一部分に、
前記照明装置が前記光学素子包括体を有することを示す情報を格納した識別素子を設け、
前記識別素子に格納した情報を外部から読み取ることにより、前記情報を認識し、
認識した前記情報に基づいて、前記光学素子包括体を前記照明装置から取り外す光学素子包括体の再利用方法。
【請求項２３】
光源と、
１または２以上の光学素子、および、前記光学素子を包括する包括部材を有し、前記光源から発せられた光の入射面と出射面とを備えた光学素子包括体と、
を含み、
前記包括部材、または前記光学素子包括体を除く前記バックライトユニットの一部分には、識別素子が設けられ、
前記識別素子には、前記照明装置が前記光学素子包括体を有することを示す情報が格納された照明装置。
【請求項２４】
光源と、
１または２以上の光学素子、および、前記光学素子を包括する包括部材を有し、前記光源から発せられた光の入射面と出射面とを備えた光学素子包括体と、
表示パネルと、
を含み、
前記包括部材、または前記光学素子包括体を除く前記表示装置の一部分には、識別素子が設けられ、
前記識別素子には、前記表示装置が前記光学素子包括体を有することを示す情報が格納された表示装置。
【発明の詳細な説明】
【技術分野】
【０００１】
この発明は、光学素子のリサイクル方法、光学素子の再利用方法、光学素子の分別方法、および光学素子包括体の再利用方法、並びに光学素子包括体、照明装置および表示装置に関する。
【背景技術】
【０００２】
従来、液晶表示装置では、視野角や輝度などの改善を目的として多数の光学素子が用いられている。これらの光学素子としては、拡散フィルムやプリズムシートなどのフィルム状やシート状のものが用いられている。
【０００３】
図１５に、従来の液晶表示装置の構成を示す。この液晶表示装置は、光を出射する照明装置１０１と、照明装置１０１から出射された光を拡散する拡散板１０２と、拡散板１０２により拡散された光を集光や拡散などする複数の光学素子１０３と、液晶パネル１０４とを備える。
【０００４】
ところで、近年の画像表示装置の大型化に伴って、光学素子の自重やサイズが増大する傾向にある。このように光学素子の自重やサイズが増大すると、光学素子の剛性が不足するため、光学素子の変形が発生してしまう。このような光学素子の変形は、表示面への光学指向性に影響を与え、輝度ムラという重大な問題を招いてしまう。
【０００５】
そこで、光学素子の厚さを増すことで、光学素子の剛性不足を改善することが提案されている。しかしながら、液晶表示装置が厚くなってしまい、薄型かつ軽量という液晶表示装置の利点が損なわれてしまう。そこで、光学素子同士を透明粘着剤により貼り合わせることにより、シート状またはフィルム状の光学素子の剛性不足を改善することが提案されている（例えば特許文献１参照）。
【０００６】
【特許文献１】特開２００５−３０１１４７号公報
【発明の開示】
【発明が解決しようとする課題】
【０００７】
しかしながら、特許文献１の技術では、光学素子同士を透明粘着剤により貼り合わせるため、光学素子の厚さを増す改善方法ほどではないが、液晶表示装置自体がやはり厚くなってしまうという問題がある。また、透明接着剤により、液晶表示装置の表示特性が劣化してしまうおそれもある。
【０００８】
このような問題点を解決するために、本出願人は、液晶表示装置の厚みの増加、または液晶表示装置の表示特性の劣化を抑えつつ、光学素子の剛性不足を改善すべく、鋭意検討を行った結果、光学素子および支持体を包括部材により包括してなる光学素子包括体、およびそれを備えるバックライトおよび液晶表示装置を提案するに至った。（特願２００７−２４６２９３参照）
【０００９】
ここで、環境問題への配慮という点に鑑みれば、光学素子包括体またはその内包物である光学素子はリサイクルまたは再利用されることが望ましい。例えば、光学素子をそのまま再利用したり、光学素子を溶解するなどして原料の状態に戻した後に、再び光学素子として、或いは他の製品としてリサイクルしたりすることが望ましい。
【００１０】
一方で、光学素子は光学素子包括体にその一部または全部が包括されているため、光学素子に関する機能、材質などを包括部材の外部から判別することは難しい。しかも包括部材によって包括される光学素子は一つとは限らず、複数の光学素子が包括される場合には、光学素子の材質、構成などによって、再利用またはリサイクル可能なものと、不可能なものが混在している場合がある。よって、再利用またはリサイクル工程などにおいて、再利用またはリサイクル可能な光学素子を特定する必要がある。
【００１１】
したがって、この発明の目的は、光学素子のリサイクル、再利用および分別を容易に行うことができる光学素子のリサイクル方法、光学素子の再利用方法、光学素子の分別方法、および光学素子包括体の再利用方法、並びに光学素子包括体、照明装置および表示装置を提供することにある。
【課題を解決するための手段】
【００１２】
上述した課題を解決するために、本願発明者等は、包括部材に包括された光学素子に関する情報を、光学素子包括体の外部から認識するために、包括部材に光学素子に関する情報が付与された識別素子を設けることを提案する。さらに、かかる識別素子を備えた光学素子包括部材に包括された光学素子のリサイクル方法、再利用方法および分別方法を提案する。
【００１３】
すなわち、上述した課題を解決するために、第１の発明は、
１または２以上の光学素子と、光学素子を包括する包括部材とを有する光学素子包括体のうちの包括部材に、１または２以上の光学素子のうちリサイクル可能な光学素子および該光学素子の材質を特定する情報を格納した識別素子を設け、
識別素子に格納した情報を外部から読み取ることによって、情報を認識し、
認識した情報に基づいてリサイクル可能な光学素子を分別し、リサイクルする光学素子のリサイクル方法である。
【００１４】
第２の発明は、
１または２以上の光学素子と、光学素子を包括する包括部材とを有する光学素子包括体のうちの包括部材に、１または２以上の光学素子のうち再利用可能な光学素子および該光学素子の機能を特定する情報を格納した識別素子を設け、
識別素子に格納した情報を外部から読み取ることによって、情報を認識し、
認識した情報に基づいて、再利用可能な光学素子を分別し、再利用する光学素子の再利用方法である。
【００１５】
第３の発明は、
１または２以上の光学素子と、光学素子を包括する包括部材とを有する光学素子包括体のうちの包括部材に、１または２以上の光学素子のうち再利用可能な光学素子および該光学素子の機能を特定する情報を格納した識別素子を設け、
識別素子に格納した情報を外部から読み取ることによって、情報を認識し、
情報に基づいて再利用可能な光学素子を分別し、
再利用可能な光学素子を分別する際、またはその前後に、再利用可能な光学素子の検査を行い、光学素子が再利用不可能な場合に光学素子をリサイクルする光学素子のリサイクル方法である。
【００１６】
第４の発明は、
複数の光学素子と、光学素子を包括する包括部材とを有する光学素子包括体のうちの包括部材に、複数の光学素子のうち、リサイクル可能な第１の光学素子および該第１の光学素子の材質を特定する第１の情報、並びに複数の光学素子のうち、再利用可能な第２の光学素子および該第２の光学素子の機能を特定する第２の情報を格納した識別素子を設け、
識別素子に格納した第１の情報および第２の情報を外部から読み取ることによって、第１の情報および第２の情報を認識し、
認識した第１の情報および第２の情報に基づいて、第１の光学素子および第２の光学素子を分別する光学素子の分別方法である。
【００１７】
第５の発明は、
１または２以上の光学素子と、光学素子を包括する包括部材とを有し、
包括部材には、識別素子が設けられており、
識別素子には、１または２以上の光学素子のうち、リサイクルまたは再利用可能な光学素子およびその材質若しくは機能を特定する情報が格納されている光学素子包括体である。
【００１８】
第６の発明は、
１または２以上の光学素子、および、光学素子を包括する包括部材を有し、光源から発せられた光の入射面と出射面とを備え、
入射面側の包括部材の周縁部に、識別素子が設けられ、
識別素子には、１または２以上の光学素子のうち、リサイクルまたは再利用可能な光学素子およびその材質若しくは機能を特定する情報が格納され
１または２以上の光学素子のうち少なくとも一は、拡散機能を有する光学素子であり、
光源点灯時に、上記拡散機能を有する光学素子が光を散乱させて、光学素子包括体の出射面側からの識別素子の像の視認を妨げるようにした
光学素子包括体である。
【００１９】
第７の発明は、
１または２以上の光学素子、および、光学素子を包括する包括部材を有し、光源から発せられた光の入射面と出射面とを備え、
入射面側の包括部材の周縁部に、識別素子が設けられ、
識別素子には、１または２以上の光学素子のうち、リサイクルまたは再利用可能な光学素子およびその材質若しくは機能を特定する情報が格納され
１または２以上の光学素子のうち少なくとも一は、拡散機能を有する光学素子であり、
光源点灯時に、上記拡散機能を有する光学素子が光を散乱させて、光学素子包括体の出射面側からの識別素子の像の視認を妨げるようにした光学素子包括体
を有する照明装置である。
【００２０】
第８の発明は、
１または２以上の光学素子、および、光学素子を包括する包括部材を有し、光源から発せられた光の入射面と出射面とを備え、
入射面側の包括部材の周縁部に、識別素子が設けられ、
識別素子には、１または２以上の光学素子のうち、リサイクルまたは再利用可能な光学素子およびその材質若しくは機能を特定する情報が格納され
１または２以上の光学素子のうち少なくとも一は、拡散機能を有する光学素子であり、
光源点灯時に、上記拡散機能を有する光学素子が光を散乱させて、光学素子包括体の出射面側からの識別素子の像の視認を妨げるようにした光学素子包括体
を搭載した表示装置である。
【００２１】
第９の発明は、
光源と、１または２以上の光学素子、および、光学素子を包括する包括部材を有し、光源から発せられた光の入射面と出射面とを備えた光学素子包括体とを含む表示装置のうちの、包括部材、または光学素子包括体を除く表示装置の一部分に、
表示装置が光学素子包括体を有することを示す情報を格納した識別素子を設け、
識別素子に格納した情報を外部から読み取ることにより、情報を認識し、
認識した情報に基づいて、光学素子包括体を表示装置から取り外す光学素子包括体の再利用方法である。
【００２２】
第１０の発明は、
光源と、１または２以上の光学素子、および、光学素子を包括する包括部材を有し、光源から発せられた光の入射面と出射面とを備えた光学素子包括体とを含む照明装置のうちの、包括部材、または光学素子包括体を除く照明装置の一部分に、
照明装置が光学素子包括体を有することを示す情報を格納した識別素子を設け、
識別素子に格納した情報を外部から読み取ることにより、情報を認識し、
認識した情報に基づいて、光学素子包括体を照明装置から取り外す光学素子包括体の再利用方法である。
【００２３】
第１１の発明は、
光源と、
１または２以上の光学素子、および、光学素子を包括する包括部材を有し、光源から発せられた光の入射面と出射面とを備えた光学素子包括体と、
を含み、
包括部材、または光学素子包括体を除くバックライトユニットの一部分には、識別素子が設けられ、
識別素子には、照明装置が光学素子包括体を有することを示す情報が格納された照明装置である。
【００２４】
第１２の発明は、
光源と、
１または２以上の光学素子、および、光学素子を包括する包括部材を有し、光源から発せられた光の入射面と出射面とを備えた光学素子包括体と、
表示パネルと、
を含み、
包括部材、または光学素子包括体を除く表示装置の一部分には、識別素子が設けられ、
識別素子には、表示装置が光学素子包括体を有することを示す情報が格納された表示装置である。
【００２５】
第１の発明および第２の発明では、光学素子包括体は、１または２以上の光学素子を包括部材で包括する構成を有するので、光学素子は該包括部材によって保護されている。したがって、光学素子包括体の内包物である光学素子は、再利用またはリサイクルに極めて適している。
【００２６】
ここで、本明細書において、リサイクル（Recycle）とは、光学素子包括体、光学素子などを溶融するなどして原料の状態に戻した後に、再び光学素子として、或いは他の製品として利用することを意味する。一方、再利用（Reuse）とは、光学素子包括体、光学素子などをそのままの状態で（或いは所定の検査などを経た後に）再び利用することを意味する。ただし、再利用には、光学素子の一部を打ち抜いて、より画面サイズの小さい表示装置などに組み込んだりする場合も含む。また、本明細書において、特に言及しない限り、「光学素子」は１または２以上の光学素子を意味する。
【００２７】
第１および第２の発明において、リサイクル可能または再利用可能な光学素子は、単一の材質で形成されていることが望ましい。単一の材質で形成されていることにより、特にリサイクルした場合に高純度の原材料を得ることができる。単一の材料としては、例えば、ポリカーボネート（ＰＣ）、ポリエチレンテレフタラート（ＰＥＴ、ＰＥＴＥ）、ポリエチレンナフタレート（ＰＥＮ）、ポリエチレン（ＰＥ）、ポリ塩化ビニル（ＰＶＣ）、ポリ塩化ビニリデン（ＰＶＤＣ）、ポリ乳酸（ＰＬＡ）、ポリプロピレン（ＰＰ）、二軸延伸ポリプロピレン（ＯＰＰ）、ポリアミド（ＰＡ）、ポリテトラフルオロエチレン（ＰＴＦＥ）、ポリウレタン（ＰＵ）、ポリスチレン（ＰＳ）、ポリエステル、ＡＢＳ樹脂（ＡＢＳ）、アクリル樹脂（ＰＭＭＡ）、ポリアセタール樹脂（ＰＯＭ）、スチレン−ブタジエン共重合体（ＳＢＣ）などが挙げられる。
【００２８】
また、リサイクル可能または再利用可能な光学素子としては、代表的には、プリズムシート、ムラ消しシート、拡散シート、拡散板または反射型偏光子が挙げられるが、これに限定されるものではない。なお、例えばプリズムシートの場合、上述のとおり、ベース部分とレンズ部分とが単一の材質で一体形成されていることが望ましい。
【００２９】
第１の発明において、光学素子包括体中に、材質の異なるリサイクル可能な光学素子が複数ある場合には、該複数の光学素子を材質ごとに分別すればよい。一方、第２の発明において、機能の異なる再利用可能な光学素子が複数ある場合には、該複数の光学素子を機能ごとに分別すればよい。
【００３０】
なお、光学素子が複数ある場合、上記の特許文献１（特開２００５−３０１１４７号公報）のように、光学素子同士を透明粘着剤により貼り合わせないことが望ましい。貼り合わせると、光学素子をリサイクルまたは再利用する際に、光学素子同士を剥がしたりするなどの手間がかかってしまう、或いは、リサイクルまたは再利用が不可能となってしまうからである。
【００３１】
包括部材および光学素子に関しても、同様のことが言える。包括部材および光学素子は、シワやたるみによる光学特性の劣化を防止するため、密着していることが望ましいが、リサイクルまたは再利用の観点から、接着剤などで貼り合わされていないことが望ましい。
【００３２】
なお、包括部材には、構造体付与、形状付与、微粒子添加、ボイド付与、異方性付与などにより光学機能を持たせても良い。例えば、光拡散機能、光集光機能、反射型偏光機能、光分割機能を持たせることができる。包括部材にこれらの機能を持った光学機能層を積層してもよい。
【００３３】
光学素子包括体には、光学素子を支持するための支持体を別途設けても良い。光学素子がシートまたはフィルム状で膜厚が薄い場合には、支持体を設けることにより剛性を確保することができるので望ましい。支持体としては、プラスチックのような透明板のほか、例えば、拡散板のような光学機能を有する支持体を用いることもできる。光学機能を有する支持体は、本発明における光学素子に含まれるものであり、当然、リサイクルまたは再利用の対象となるものである。
【００３４】
第１および第２の発明において、識別素子は、光学素子の材質、機能のほか、光学素子のスペック、構造、サイズ、重量、型番、モデル、製造者、製造地および製造時期の少なくとも一に関する情報を、さらに格納していることが望ましい。他にも、識別素子に格納される情報として、光学素子、光学素子包括体、包括部材に関するあらゆる情報を含み得る。
【００３５】
識別素子としては、例えばバーコード、２次元コード、ＩＣタグなどを用いることができる。バーコードや２次元コードは、包括部材２２に直接印刷などすることにより設けることができるので簡便である。
【００３６】
一方、ＩＣタグは、格納できる情報量が大きく、書き込み、消去が可能なものもあるので、光学素子に関する多くの情報を格納したり、情報を更新したりする場合に有利である。また、ＩＣタグは電磁波によって外部から読み取ることが可能なので、光学素子包括体が、照明装置（例えば、液晶ディスプレイのバックライトユニット）や、表示装置などに組み込まれている場合であっても、外部からリーダ／ライタ機器によって情報の読み出しや書き込みなどが可能となる。
【００３７】
識別素子は、情報の読み出しなどに支障がない限り、包括部材のみならず、包括部材に包括された光学素子に設けるようにしてもよい。
【００３８】
第２の発明において、再利用可能な光学素子を分別する際、またはその前後においては、再利用可能な光学素子に対し所定の検査を行ってもよい。例えば、光学特性、品質の検査など、新製品の光学素子の製造工程に準ずるような検査をすればよい。
【００３９】
第３の発明のように、検査によって、光学素子が再利用可能でないと判断した場合には、必要に応じて裁断などの工程を経た後、光学素子を溶融し、原材料を生成することにより、光学素子をリサイクルすることも可能である。
【００４０】
第４の発明では、光学素子包括体中に、リサイクル可能な光学素子（適宜、第１の光学素子と称する）と再利用可能な光学素子（適宜、第２の光学素子と適宜称する）とが混在している場合に、識別素子に格納された情報に基づき、両者を識別し、正しく分別することができる。
【００４１】
第５の発明では、包括部材に識別素子を設け、リサイクルまたは再利用可能な光学素子およびその材質または機能を特定する情報を格納しておくことにより、かかる光学素子を外部から認識し、分別することが容易となる。
【００４２】
例えば、光学素子をリサイクルする場合には、光学素子の材質に関する情報を識別素子に格納させることにより、該情報をもとに光学素子を分別することができる。一方、光学素子を再利用する場合には、例えば、光学素子の機能に関する情報を識別素子に格納させることにより、該情報をもとに光学素子を分別することができる。
【００４３】
第６〜８の発明では、拡散機能光学素子で、光を散乱されることによって、バックライトなどの光源点灯時に光学素子包括体の出射面側から見た場合の識別素子の像を、実質的に視認できないものとすることができる。
【００４４】
光学素子包括体を、例えば表示装置のバックライトユニットに組み込んで適用した場合、バックライトからの出射光が、光学素子包括体を介して、表示パネル（例えば液晶パネル）の画素を通過して、画像が表示される。ここで、光学素子包括体の包括部材に識別素子が設けられていると、バックライトからの出射光によって、識別素子の像が表示されてしまう、或いは、所望の画像表示に影響を及ぼすおそれがある。
【００４５】
しかし、第６〜８の発明のように、入射面側の包括部材の周縁部に識別素子を設け、１または２以上の光学素子のうち少なくとも一として拡散機能を有する光学素子（以下「拡散機能光学素子」と適宜称する。）を採用すれば、拡散機能光学素子によって、バックライトなどの光源点灯時に光学素子包括体の出射面側から見た場合の識別素子の像を、実質的に視認できないものとすることができる。すなわち、識別素子の像が表示装置の外部に表示されたり、または所望の画像表示に影響を及ぼしたりするという問題を解消することができる。
【００４６】
なお、拡散機能光学素子は、光学素子包括体の中に二つ以上設けても良い。また、光学素子包括体の外部に、拡散機能光学素子を設けても良く、この場合、識別素子の像を消すという観点から、光学素子包括体の光出射面側の外部に拡散機能光学素子を設けるのが望ましい。第６の発明による光学素子包括体は、照明装置（例えば、表示装置のバックライトユニット）、表示装置をはじめ、あらゆる電子機器に採用することが可能である。
【００４７】
第９〜第１０の発明は、光学素子包括体が搭載された照明装置または表示装置のうち、該光学素子包括体そのものの再利用方法に関する。第９〜第１０の発明では、光学素子包括体は、１または２以上の光学素子が包括部材に包括されているため、光学素子は該包括部材によって保護されているということができる。したがって、上述のとおり、内包物である光学素子は、再利用またはリサイクルに極めて適している。さらに、包括部材そのものにも光学特性、品質などの問題がなければ、光学素子包括体そのものを再利用することも可能である。
【００４８】
第９〜第１０の発明では、光学素子包括体の包括部材、または光学素子包括体を除く照明装置若しくは表示装置の一部分には、識別素子が設けられており、該識別素子には、該照明装置または表示装置が光学素子包括体を有することを示す情報が格納されている。このため、識別素子に格納された情報を外部から読み取ることにより、該照明装置または表示装置が光学素子包括体を搭載していることを外部から容易に認識することができ、光学素子包括体の再利用に寄与することができる。
【００４９】
第９〜第１０の発明において、照明装置または表示装置の外部から光学素子包括体の存在を認識しやすいように、識別素子としては、遠隔からの情報認識が可能なＩＣタグを用いるのが望ましい。
【００５０】
第９〜第１０の発明において、光学素子包括体を照明装置または表示装置から取り外した後に、光学素子包括体について所定の検査を行うことが望ましい。仮に検査の結果、光学素子包括体そのものとしては再利用不可能と判断した場合には、包括部材を取り除き、第１〜第４の発明で提案する方法に準じて、内包物である光学素子を分別し、リサイクルまたは再利用することが可能である。
【００５１】
また、第９〜１０の発明において、識別素子は、光学素子包括体の構成、スペック、サイズ、重量、型番、モデル、製造者、製造地および製造時期の少なくとも一に関する情報を、さらに格納していることが望ましい。加えて、内包物である光学素子自体をリサイクルまたは再利用する場合もあることを想定し、識別素子は、前記光学素子の材質、機能、スペック、サイズ、重量、型番、モデル、製造者、製造地および製造時期の少なくとも一に関する情報を、さらに格納していることが望ましい。
【００５２】
第１１〜第１２の発明において、光学素子包括体の包括部材、または光学素子包括体を除く照明装置若しくは表示装置の一部分には、識別素子が設けられており、該識別素子には、該照明装置または表示装置が光学素子包括体を有することを示す情報が格納されている。このため、識別素子に格納された情報を外部から読み取ることにより、該照明装置または表示装置が光学素子包括体を搭載していることを容易に認識することができ、光学素子包括体の再利用に寄与することができる。
【００５３】
なお、照明装置または表示装置の外部から光学素子包括体の存在を認識しやすいように、識別素子としては、遠隔からの情報認識が可能なＩＣタグを用いるのが望ましい。
【発明の効果】
【００５４】
この発明によれば、光学素子包括体を構成する光学素子のリサイクル、再利用、分別を容易に行うことができる。また、光学素子包括体の再利用を容易に行うことができる。
【発明を実施するための最良の形態】
【００５５】
以下、この発明の実施の形態について図面を参照して説明する。なお、図面の説明において同一要素には同一の符号を付し、重複する説明を適宜省略する。
【００５６】
まず、この発明の理解を容易にするため、この発明が適用される光学素子および光学素子を内包物として含む光学素子包括体について説明する。
【００５７】
この発明が適用される光学素子包括体は、照明装置（代表的には、液晶ディスプレイのバックライトユニット）、表示装置（代表的には、液晶テレビ）など、あらゆる電子機器に組み込むことが可能なものである。例えば、光学素子包括体は、液晶表示装置の表示特性を改善するために、液晶表示装置を構成する部材として用いられるものである。
【００５８】
図１を参照しながら、光学素子包括体を用いた液晶表示装置の一構成例を説明する。この液晶表示装置は、図１に示すように、光を出射するバックライト４と、バックライト４から出射された光に基づき画像を表示する液晶パネル３とを備える。
【００５９】
バックライト４は、光を出射する照明装置１と、照明装置１から出射された光の特性を調整し、液晶パネル３に向けて出射する光学素子包括体２とを備える。照明装置１は、例えば直下式の照明装置であり、光を出射する光源１１と、光源１１から出射された光を反射して液晶パネル３の方向に向ける反射板１２とを備える。光源１１としては、例えば、冷陰極蛍光管（CCFL:Cold Cathode Fluorescent Lamp）、熱陰極蛍光管（HCFL:Hot Cathode Fluorescent Lamp）、有機エレクトロルミネッセンス（OEL:Organic ElectroLuminescence）、無機エレクトロルミネッセンス（IEL:Inorganic ElectroLuminescence）、発光ダイオード（LED:Light Emitting Diode）などを用いることができる。反射板１２は、例えば１または複数の光源１１の下方および側方を覆うように設けられ、１または複数の光源１１から下方および側方などに出射された光を反射して、液晶パネル３の方向に向けるためのものである。
【００６０】
液晶パネル３は、光源１１から供給された光を時間的空間的に変調して情報を表示するためのものである。液晶パネル３としては、例えば、ツイステッドネマチック（Twisted Nematic:TN）モード、スーパーツイステッドネマチック（Super Twisted Nematic:STN）モード、垂直配向（Vertically Aligned:VA）モード、水平配列（In-Plane Switching:IPS）モード、光学補償ベンド配向（Optically Compensated Birefringence:OCB）モード、強誘電性（Ferroelectric Liquid Crystal:FLC）モード、高分子分散型液晶（Polymer Dispersed Liquid Crystal:PDLC）モード、相転移型ゲスト・ホスト（Phase Change Guest Host:PCGH）モードなどの表示モードのものを用いることができる。
【００６１】
光学素子包括体２は、光学素子積層体２１と、光学素子積層体２１を包括する包括部材２２とを備える。画像の劣化を抑制する観点から、光学素子積層体２１と包括部材２２とは密着していることが好ましい。光学素子積層体２１は、照明装置１から出射された光を拡散や集光などの処理を施して光の特性を調整する１または複数の光学素子２４Ａと、１または複数の光学素子２４Ａを支持する支持体２３とを積層したものである。包括部材２２は、光学素子積層体２１に入射する光が透過する第１の領域Ｒ1と、光学素子積層体２１から出射される光が透過する第２の領域Ｒ2とを有する。
【００６２】
以下では、光学素子２４Ａ、支持体２３、包括部材２２、および光学素子積層体２１の面のうち、照明装置１からの光が入射する面を入射面、この入射面から入射した光を出射する面を出射面、および入射面と出射面との間に位置する面を端面と称する。また、入射面と出射面とを総称して主面と適宜称する。
【００６３】
１または複数の光学素子２４Ａは、少なくとも集光素子を含んでいる。光学素子包括体２が複数の光学素子２４Ａを備える場合、集光素子以外の光学素子は特に限定されるものではなく、所望とする液晶表示装置の特性に応じて適宜選択することができる。具体的には、集光素子以外の光学素子２４Ａとしては、例えば光拡散素子、光制御素子などを用いることができる。光学素子２４Ａの数や種類は、特に限定されるのもではなく、所望とする液晶表示装置の特性に応じて適宜選択することができる。光学素子Ａの形状としては、例えば、フィルム状、シート状、板状などが挙げられるが、特にこれらの形状に限定されるものではなく、求められる液晶表示装置の特性に応じて任意に選択することができる。具体的には、光学素子２４Ａの厚さは、５〜１０００μｍであることが好ましい。
【００６４】
集光素子とは、基材と、基材の一主面に形成されたプリズム列とを備え、光を集光する機能を有する光学素子である。プリズム列を形成するプリズムは、例えば、多角形状、円形状、双曲線、楕円形状など断面形状を有する柱状体であり、好ましくは三角形状の断面形状を有する柱状体であることが好ましい。このような柱状体を有する光学素子としては、例えば、３Ｍ社のＢＥＦなどが挙げられる。集光素子の材料としては、例えば、ポリエチレンテレフタレート、ポリカーボネート、ポリエンチレンナフタレート、スチレンブタジエン共重合体、ポリプロピレン、シクロオレフィンポリマーなどの高分子材料を主成分とする材料を用いることができる。基材上のプリズム列は、例えば、基材の一主面に熱転写によりパターンを転写することにより形成することができる。また、基材に紫外線硬化樹脂を塗布し、パターン転写後硬化させることにより形成するようにしてもよい。
【００６５】
支持体２３は、例えば、板状の形状を有する。支持体２３は、例えば、照明装置１から出射された光を透過する透明板、または照明装置１から出射された光を拡散や集光などの処理を施して光の特性を調整する光学板である。このような光学板としては、例えば拡散板、位相差板またはプリズム板などを用いることができる。支持体２３の厚み、断面幅、長さ、および剛性（弾性率）は、光学素子２４および支持体２３を包括部材２２により包括したときに包括部材２２に加わる張力を考慮して選択することが好ましい。具体的には、支持体２３の厚さは、好ましくは５０〜１００００μｍ、より好ましくは１００〜５０００μｍである。
【００６６】
支持体２３は、例えば高分子材料を主成分とするものであり、その透過率は３０％以上であることが好ましい。また、液晶表示装置を４０℃の高温環境下に保存したときに、液晶表示装置点灯時の装置内温度が約６０℃まで上昇することと、実際の液晶表示装置などでは、７０℃で偏光子が劣化することを回避するために温度上昇抑制機能を設けていることを考慮すると、支持体２３としては、７０℃まで剛性の変動が小さく、かつ、ある程度の弾性を有しているものが好ましい。このような特性を有する支持体２３の材料としては、例えば、ポリカーボネート（弾性率２．１ＧＰａ）、ポリスチレン（弾性率２．８ＧＰａ）、シクロオレフィン樹脂としてゼオノア樹脂（弾性率２．１ＧＰａ）、アクリル系樹脂（弾性率３ＧＰａ）などを主成分とするものが挙げられ、これらの材料のうちで最も弾性率の低い、ポリカーボネート樹脂の弾性率以上（２．１ＧＰａ以上）の弾性率を有する材料を主成分とするものが好ましい。
【００６７】
光学素子２４Ａおよび支持体２３の主面には、凹凸処理を施すこと、または微粒子を含有させることが好ましい。こすれや摩擦を低減できるからである。また、光学素子２４Ａおよび支持体２３には、必要に応じて光安定剤、紫外線吸収剤、帯電防止剤、難燃剤および酸化防止剤などの添加剤を含有させることにより、紫外線吸収機能、赤外線吸収機能および静電抑制機能などを光学素子２４Ａおよび支持体２３に付与するようにしてもよい。また、光学素子２４Ａおよび支持体２３には、アンチグレア処理（ＡＧ処理）やアンチリフレクション処理（ＡＲ処理）などの表面処理を施すことにより、反射光の拡散や反射光そのものの低減を図るようにしてもよい。また、光学素子２４Ａおよび支持体２３の表面に、紫外線や赤外線を反射するための機能を持たせるようにしてもよい。
【００６８】
包括部材２２には、光学素子２４Ａおよび支持体２３を包括した状態において張力が加わっていることが好ましい。包括部材２２に対するしわなどの発生を抑制し、画像の表示特性の劣化を抑制することができるからである。包括部材２２における張力の有無の確認、張力の測定は、セイコー社製のＴＭＡ（熱・応力・歪測定装置  ＥＸＳＴＡＲ６０００  ＴＭＡ／ＳＳ）を用いて、例えば以下のようにして行うことができる。
【００６９】
まず、包括部材２２に張力が加わった状態において、光学素子包括体２の中央部から長方形の金型により５ｍｍ×５０ｍｍの試験片を切り出す。この際、試験片の長辺、短辺がそれぞれ支持体２３の長辺と短辺と平行となるようにして試験片を切り出す。次に、硝子板に試験片を挟んでたるみのない状態とした後、トプコン社製の工具顕微鏡により長さを測定する。切り出した試験片は張力が開放された状態となっているため、５０ｍｍよりも収縮した状態となっている。この収縮状態から、最初の５０ｍｍの状態へ戻すように寸法換算して、ＴＭＡ用に試験片を再カットしてセットする。次に、初期の温度２５℃時点での張力を測定する。張力の測定機については、所定の長さへの引っ張り応力を加えられて、応力測定ができるものであれば使用可能であり、張力の有無を確認できる。
【００７０】
包括部材２２は、例えば、フィルム状またはシート状を有する。包括部材２２の形状としては、例えば、筒状または袋状を挙げることができるが、特にこれらの形状に限定されるものではなく、所望とする光学素子包括体２の特性や形状に応じて適宜選択することができる。また、包括部材２２は、例えば、１または複数の包括部材を備え、この包括部材の周縁部を必要に応じて接合することにより包括部材２２を筒状または袋状などにしてもよい。包括部材２２を接合する場合には、その接合位置は光学素子積層体２１の表示エリア外とすることが好ましい。
【００７１】
包括部材２２は、１または複数の開口部を有することが好ましい。このような開口部を有することにより、光学素子積層体２１を包括部材２２により包括するときに、包括部材２２内のエアを外部に排出し、光学素子積層体２１と包括部材２２とを密着させることで、画像不良の発生を抑制することができる。また、このような開口部を有することにより、包括部材２２により包まれた支持体２３や光学素子２４Ａの構成材料が揮発したときに、この揮発成分を光学素子包括体２の外部に排出し、包括部材２２内における揮発成分の結露や凝固などを抑制することで、画像不良の発生を抑制することができる。包括部材２２に複数の開口部を設ける場合には、光学素子積層体２１の端面のうち、対向する端面またはその近傍に開口部をそれぞれ設けることが好ましい。上記揮発成分を光学素子包括体２の外部に効率良く排出し、包括部材２２内における揮発成分の結露や凝固などをより抑制することで、画像不良の発生をより抑制することができるからである。
【００７２】
開口部は、光学素子積層体２１の表示エリア外に対応する位置に設けることが好ましく、光学素子積層体２１の端面またはその近傍に対応する位置に設けることがより好ましい。このような位置に開口部を設けることで、開口部による画質低下を防ぐことができる。光学素子積層体２１が角部を有する場合には、光学素子積層体２１の角部に対応する部分に開口部を設け、この開口部から角部を露出させることが好ましい。具体的には、光学素子積層体２１が全体として矩形状を有する場合、包括部材２２は光学素子積層体２１の４つの角部に対応する位置にそれぞれ開口部を設け、この開口部から光学素子積層体２１の角部をそれぞれ露出させることが好ましい。開口部のサイズや形状は、光学素子包括体２の作製工程におけるエアの排出性能、光学素子積層体２１の形状や大きさ、および包括部材２２の耐久性などを考慮して選択することが好ましく、例えば、円形状、楕円形状、半円形状、三角形状、四角形状、菱形形状、スリット状などが挙げられるが、これらの形状に限定されるものではない。
【００７３】
包括部材２２は、例えば透明性を有する単層もしくは複数層のフィルム、またはシートである。包括部材２２の厚さは、例えば５〜５０００μｍに選ばれる。また、包括部材２２の厚さが、第１の領域Ｒ1と第２の領域Ｒ2とで異なるようにしてもよい。第１の領域Ｒ1および第２の領域Ｒ2のうち、どちらの厚さをより厚くするかは、所望とする目的に応じて選ぶことができる。例えば、光源１１から発生される熱から支持体２３や光学素子２４を保護し、これらの形状変化を抑制するためには、第１の領域Ｒ1の厚さを第２の領域Ｒ2の厚さに比べて厚くすることが好ましい。また、包括部材２２が、骨材としての構造体を内包するようにしてもよい。
【００７４】
少なくとも集光素子と偏光子の間に配置された包括部材２２は位相差を有している。位相差を有することで、プリズムシートなどの集光素子により立ち上げられた光の成分を包括部材２２により変換し、偏光子３ａを透過する光を増加させることができる。また、包括部材２２は、収縮性および伸縮性の少なくとも一方を有していることが好ましい。このような特性を有することで、包括部材２２に張力が加わった状態で光学素子積層体２１を包括することができる。したがって、包括部材２２、支持体２３および光学素子２４を密着することができ、かつ、包括部材２２にしわが発生することを抑制できる。収縮性としては、例えば、熱収縮性または赤外線収縮性を挙げることができる。また、包括部材２２としては、延伸処理されたものが好ましい。延伸処理では、包括部材２２に位相差と収縮性という、２つの特性を付与することができるからである。すなわち、光学素子包活体２は、位相差素子を集光素子と偏光子３ａの間に配置するものよりも、光学素子を包括するという機能を有している点において優れている。
【００７５】
包括部材２２の材料としては、熱収縮性を有し、かつ、位相差を発現可能な高分子材料を主成分とする材料を用いること好ましい。このような高分子材料としては、例えば、ポリプロピレン、ポリエチレン、ポリ塩化ビニル、ポリエンチレンテレフタレート、ポリエチレンナフタレート、ポリスチレン、ブタジエン、スチレンブタジエン共重合体、ポリメチルメタクリレートなどが挙げられる。これらの材料を単独のみならず混合して用いてもよい。なお、包括部材２２の材料は、上記材料に限定されるものではなく、求められる包括部材２２の特性に応じて任意に選択することができる。
【００７６】
包括部材２２の熱収縮率は、好ましくは０．２％以上、より好ましくは５％以上、さらにより好ましくは１０％以上、最も好ましくは２０％以上である。このようにすることで、包括部材２２と光学素子積層体２１との密着性を高めることができるからである。上記の熱収縮率とは、光学素子積層体２１を包括部材２２により包括するプロセスにおいての熱収縮率である。熱収縮プロセスは光源１１から発生される熱により上昇する照明装置内の温度よりも高い方が好ましい。具体的には、１００℃〜１５０℃にて熱収縮プロセスを行うことが好ましい。よって、上記の熱収縮率とは１００℃〜１５０℃における収縮率のことを意味する。包括部材２２の熱変形温度は、好ましくは８０℃以上、より好ましくは９０℃以上である。光源１１から発生される熱により包括部材２２が変形しないことにより、光学素子包括体に反り、しわ、などが生じないようにするためである。
【００７７】
また、包括部材２２の材料としては、赤外線を吸収して熱収縮する高分子材料を主成分とするものも好ましい。このような高分子材料としては、例えば、赤外領域に吸収域を有する材料を含有するものが挙げられる。このような材料を用いることで、赤外線を光学素子包括体２に照射したときに、主として包括部材２２のみに赤外線を吸収させることができる。したがって、光学素子包括体２の構成部材のうち、主として包括部材２２のみの収縮を進行させることができる。赤外線により収縮プロセスを行う場合でも、その収縮率は好ましくは０．２％以上、より好ましくは５％以上、さらにより好ましくは１０％以上、最も好ましくは２０％以上である
【００７８】
包括部材２２は、表面の耐傷性、液晶パネル３に対する密着防止、包括された光学素子２４や支持体２３への貼り付き防止、または、輸送時における振動時により擦れ傷防止などの観点から、１種または２種以上のフィラーを含有していることが好ましい。
【００７９】
また、包括部材２２には、必要に応じて光安定剤、紫外線吸収剤、帯電防止剤、難燃剤および酸化防止剤などの添加剤をさらに含有させて、紫外線吸収機能、赤外線吸収機能および静電抑制機能などを包括部材２２に付与するようにしてもよい。また、包括部材２２に、アンチグレア処理（ＡＧ処理）およびアンチリフレクション処理（ＡＲ処理）などの表面処理などを施すことにより、反射光の拡散や反射光そのもの低減などを図るようにしてもよい。さらには、ＵＶ−Ａ光（３１５〜４００ｎｍ程度）などの特定波長領域の光を透過する機能を付与してもよい。
【００８０】
なお、上述した表示装置の一構成例において、光学素子２４Ａを省略した構成としてもよい。その場合、包括部材２２に光学機能を持たせてもよい。また、上述した表示装置の一構成例において、後述の図１４に示すように、包括部材２２そのものを省略した構成としてもよい。
【００８１】
（第１の実施の形態）
次に、この発明の第１の実施の形態による光学素子のリサイクル方法について説明する。まず、図２を参照しながら、この発明の第１の実施の形態による光学素子のリサイクル方法の概要について説明する。この発明の第１の実施の形態による光学素子のリサイクル方法は、図２ａに示すように、光学素子包括体２を回収し、図２ｂ〜図２ｃに示すように、内包物である光学素子積層体２１を構成する光学素子２４の中から、リサイクル可能な光学素子２４を分別し、リサイクルを行うものある。
【００８２】
図３は、光学素子包括体２の例の概観を示す。図３Ａに示す光学素子包括体２は、帯状の包括部材２２によって、複数の光学素子で構成される光学素子積層体２１を包括した構成を有するものである。この例では、光学素子包括体２の端面に開口部が設けられており、内包物の光学素子積層体２１が取り出しやすい構成とされている。図３Ｂに示す光学素子包括体２は、光学素子積層体２１の角部に対応して、光学素子積層体２１の角部が露出するように、開口部が設けられた包括部材２２によって、光学素子積層体２１を包括した構成を有するものである。図３Ｂに示す光学素子包括体２では、内包物の光学素子積層体２１を取り出し易いようにするため、包括部材２２にミシン目４２が設けられている。
【００８３】
第１の実施の形態による光学素子のリサイクル方法では、図３に示すように、光学素子包括体２の包括部材２２に、識別素子４１を設けている。識別素子４１には、光学素子２４がリサイクル可能か不可能かを示す情報、さらには、光学素子包括体２または内包物の光学素子２４の材質、機能、フィルム構成、スペック、サイズ、重量、型番、モデル、製造者、製造地および製造時期などの少なくとも一に関する情報が格納されている。識別素子４１としては、例えばバーコード、２次元コード、ＩＣ（Integrates Circuit）タグなどを用いることができる。後述するが、識別素子４１に格納されている情報に基づいて、光学素子包括体２の内包物の光学素子２４のうち、リサイクル可能な光学素子２４を特定する。
【００８４】
図４に、この発明の第１の実施の形態による光学素子のリサイクル方法のフローチャートを示す。ステップＳ１１において、光学素子包括体２を回収し、ステップＳ１２において、包括部材２２に設けられた識別素子４１の情報を読み取り、ステップＳ１３において、光学素子２４に関する情報を取得する。識別素子４１の情報の読み取りは、例えば、バーコードリーダ、ＩＣタグ用リーダなどを用いて行う。
【００８５】
取得した情報は、作業者が本発明に係るリサイクルシステムを管理しやすいようにモニタ１６などに表示される。モニタ１６には、例えば、光学素子包括体のフィルム構成と各光学素子２４の機能材質、リサイクルの可否情報が表示されている。なお、モニタ１６による取得情報の表示は必ずしも必要ではなく省略してもよい。
【００８６】
ステップＳ１４において、包括部材２２から光学素子２４Ａを抜き取る。ステップＳ１５において、取得した情報に基づいてリサイクル可能な光学素子２４とリサイクル不可能な光学素子２４とを分別する。分別は、例えば、光学素子２４の材質や、リサイクル可否に関する情報に基づいて行うことができる。異なる材質からなる光学素子２４が複数ある場合には、材質毎に光学素子２４を分別すると良い。
【００８７】
ステップＳ１５の分別工程によってリサイクル可能とされた光学素子２４は、ステップＳ１６において溶融などの工程を経て原材料に分解され、ステップＳ１７において、リサイクルされた原材料として生成される。例えば、樹脂であれば、通常ペレット状に加工される。
【００８８】
リサイクルされた原材料は、ステップＳ１８において、例えば光学シートに代表される光学素子２４に成形され、ステップＳ１９において、光学素子包括体の製造工程で再度、光学素子包括体２の内包物として利用することができる。ステップＳ２０において、光学素子包括体２が製品化され、ステップ１１において、光学素子包括体２が再度回収された場合には、上述した工程によって、光学素子２４をリサイクルまたは後述する第２の実施形態の光学素子の再利用方法によって、再利用することができる。
【００８９】
勿論、リサイクルされた原材料によって成形された光学素子２４は、光学素子包括体２の内包物としてではなく、光学素子２４単体として利用することもできる。また、リサイクルされた原材料は、ステップＳ２１のように、光学素子２４とは別の他製品として再生することもできる。
【００９０】
一方、リサイクル不可能とされた光学素子２４は、ステップ３１において裁断、溶融など必要な処理を経て、ステップ３２において廃棄される。
【００９１】
この発明の第１の実施の形態による光学素子のリサイクル方法によれば、光学素子包括体２の包括部材２２に識別素子４１を設け、該識別素子４１に、リサイクルまたは再利用可能な光学素子２４およびその材質若しくは機能などを特定する情報を格納しておくことにより、かかる光学素子２４を外部から認識し、分別することが容易となる。例えば、光学素子２４をリサイクルする場合には、光学素子２４の材質に関する情報を識別素子４１に格納させることにより、該情報をもとに光学素子２４を分別することができる。
【００９２】
この発明の第１の実施の形態によるリサイクル方法を適用したシステムの構成例について、図５を参照しながら説明する。このシステムでは、識別素子４１として、ＩＣチップ２１６を用いている。ＩＣチップ２１６は、ＣＰＵ（Central Processing Unit）２０１と、メモリ２０２と、入力インターフェース２０３および出力インターフェース２０４と、入力アンテナ２０５および出力アンテナ２０６とを備える。リーダ／ライタ２１７は、出力アンテナ２０７および入力アンテナ２０８と、出力インターフェース２０９および入力インターフェース２１０と、コントローラ２１１とを備える。
【００９３】
ＣＰＵ２０１は、ＩＣチップ２１６とリーダ／ライタ２１７との間におけるデータの送受信をコントロールする。メモリ２０２は、ＲＯＭ（Read Only Memory）、ＲＡＭ（Random Access Memory）、不揮発性メモリ（フラッシュメモリ、ＥＰＲＯＭ(Erasable and Programmable Read Only Memory)、ＥＥＰＲＯＭ（Electrically Erasable and Programmable Read Only Memory）、ＦＲＡＭ(Ferroelectric Random Access Memory)等）などで構成され、ＣＰＵ２０１の動作プログラムや、光学素子２４に関する情報などが記憶されている。出力／入力アンテナ２０５〜２０８は、ＩＣチップとリーダ／ライタとの間の通信や、ＩＣチップ２１６への電力供給のために使用される。例えば、リーダ／ライタ２１７から発信される電磁波に基づく誘導起電力が電力として供給される。入力／出力インターフィース２０３〜２０４は、ＩＣチップ２１６とリーダ／ライタ２１７との間の通信制御を行う。
【００９４】
ＩＣチップ２１６が、出力／入力アンテナ２０５〜２０８を介して、リーダ／ライタ２１７とで電磁波３００による通信を行い、メモリ２０１に格納された光学素子２４に関する情報（データ）のやり取りが行われる。リーダ／ライタ２１７のコントローラ２１１は、コンピュータ２１２と接続されており、その動作が制御されている。
【００９５】
コンピュータ２１２は、ＩＣチップ２１６から取得した光学素子２４に関する情報をデータベース２１５に格納された情報と照合し、リサイクル可能な光学素子２４を特定する。なお、モニタ２１９には、取得した光学素子２４に関する情報が表示される。そして、コンピュータ２１２によって、コントローラ２１３を制御し、光学素子分別機構２１４の動作により、光学素子２４をリサイクル可能なものと、リサイクル不可能なものとに分別する。そして、分別されたリサイクル可能な光学素子２４は、溶融などの工程を経て原材料に分解して、リサイクルされる。
【００９６】
（第２の実施の形態）
この発明の第２の実施の形態による光学素子の再利用方法について説明する。まず、図６を参照しながら、この発明の第２の実施の形態による光学素子の再利用方法の概要について説明する。この発明の第２の実施の形態による光学素子の再利用方法は、図６ａに示すように、光学素子包括体２を回収し、図６ｂ〜図６ｃに示すように、内包物の光学素子積層体２１を構成する複数の光学素子２４の中から、再利用可能な光学素子２４を分別し、再利用を行うものである。
【００９７】
第２の実施の形態による光学素子の再利用方法では、第１の実施の形態と同様に光学素子包括体２の包括部材２２に識別素子４１を設ける。
【００９８】
識別素子４１には、光学素子２４が再利用可能か不可能かを示す情報、さらには、光学素子包括体２または内包物の光学素子２４の材質、機能、フィルム構成、スペック、サイズ、重量、型番、モデル、製造者、製造地および製造時期などの少なくとも一に関する情報が格納されている。識別素子４１としては、例えばバーコード、２次元コード、ＩＣタグなどを用いることができる。後述するが、識別素子４１に格納されている情報に基づいて、光学素子包括体２の内包物の光学素子２４のうち、再利用可能な光学素子２４を特定する。
【００９９】
図７は、この発明の第２の実施の形態による光学素子の再利用方法のフローチャートである。図７に示すように、ステップＳ４１〜ステップＳ４３において、光学素子包括体２を回収し、包括部材２２に設けられた識別素子４１の情報を読み取り、光学素子２４に関する情報を取得する。識別素子４１の情報の読み取りは、バーコードリーダ、ＩＣタグ用リーダなどを用いて行う。
【０１００】
取得した情報は、作業者が本発明に係る再利用システムを管理しやすいようにモニタ２０などに表示するとよい。モニタ２０には、例えば、光学素子包括体２のフィルム構成と各光学素子２４の機能、材質、再利用の可否の情報が示されている。なお、モニタ１６による取得情報の表示は必ずしも必要ではなく省略してもよい。
【０１０１】
ステップＳ４４において、包括部材２２から光学素子２４を抜き取る。ステップＳ４５において、取得した情報に基づいて再利用可能な光学素子２４を分別する。分別は、光学素子２４の機能や、再利用可否に関する情報に基づき行うことができる。異なる機能の光学素子２４が複数ある場合には、機能毎に光学素子２４を分別すると良い。
【０１０２】
ステップＳ４５の分別工程によって再利用可能と判定された光学素子２４は、ステップＳ４６において、必要に応じて、所定の検査を経ることで、最終的に再利用可能な光学素子２４と判定される。所定の検査の一例としては、光学特性などの各種スペック（全光線透過率、ヘイズ、屈折率、色度、膜厚、光学素子の光学形状、ピッチ、サイズ、電気抵抗、重量、体積、密度など）の検査や、品質検査（ムラ、スジ、ヌケ、汚れ、白点、黒点、ピンホール、打痕、キズ、クラック、シワ、たわみ、破れなどの有無・程度の確認など）が挙げられる。
【０１０３】
ステップＳ４６の所定の検査で、最終的に再利用可能とされた光学素子２４は、ステップＳ４７において、光学素子包括体２の製造工程で再度、光学素子包括体２の内包物として利用することができる。
【０１０４】
ステップＳ４８において、光学素子包括体２が製品化され、ステップ４１において、光学素子包括体２が再度回収された場合には、上述した工程により、光学素子２４を再利用することができる。或いは、第１の実施の形態で説明した工程により、光学素子２４をリサイクルすることができる。勿論、再利用される光学素子２４は、光学素子包括体２の内包物としてではなく、光学素子２４単体として利用することもできる。
【０１０５】
一方、ステップＳ４６において、識別素子４１から取得した情報または所定の検査によって再利用不可と判定された光学素子２４であって、リサイクル可能である光学素子２４については、ステップＳ５１〜ステップＳ５２において、溶融などの工程を経て原材料に分解し、例えばペレット状に加工され、リサイクルされた原材料として生成することができる。
【０１０６】
そして、ステップＳ５２において、リサイクルされた原材料は、ステップＳ５５において、光学シートに代表される光学素子２４に成形され、ステップＳ４７において、光学素子包括体２の製造工程で再度、光学素子包括体２の内包物などとして利用することができる。
【０１０７】
ステップＳ４５の光学素子分別工程で、再利用不可能およびリサイクル不可能とされた光学素子は、ステップＳ５３〜ステップＳ５４において、裁断、溶融など必要な処理を経て、廃棄される。
【０１０８】
この発明の第２の実施の形態による光学素子の再利用方法によれば、光学素子包括体２の包括部材２２に識別素子４１を設け、該識別素子４１に、再利用可能な光学素子２４およびその材質若しくは機能などを特定する情報を格納しておくことにより、かかる光学素子２４を外部から認識し、再利用可能な光学素子２４を分別して、再利用することが容易となる。
【０１０９】
この発明の第２の実施の形態による光学素子の再利用方法を適用したシステムは、第１の実施の形態で説明したシステム構成を適宜変更して構成することができる。この際、識別素子４１には、再利用可能な光学素子を特定する情報が格納され、この情報に基づいて、光学素子分別機構２１４で、光学素子２４のうち、再利用可能な光学素子２４が分別され、再利用される。
【０１１０】
（第３の実施の形態）
この発明の第３の実施の形態による光学素子の分別方法について説明する。まず、図８を参照しながら、この発明の第３の実施の形態による光学素子の分別方法の概要について説明する。図８に示すように、この発明の第３の実施の形態による光学素子の分別方法は、図８ａに示すように、光学素子包括体２を回収し、光学素子包括体２中に、リサイクル可能な光学素子（第１の光学素子）２４と、再利用可能な光学素子（第２の光学素子）２４とが混在している場合に、図８ｂ〜図８ｃに示すように、内包物の光学素子積層体２１を構成する複数の光学素子２４の中から、分別工程において、一度に第１の光学素子２４と第２の光学素子２４とを分別できるものである。
【０１１１】
第３の実施の形態による光学素子の分別方法では、第１の実施の形態および第２の実施の形態と同様に光学素子包括体２の包括部材２２に識別素子４１を設ける。第３の実施の形態による光学素子の分別方法では、第１の実施の形態および第２の実施の形態で説明した分別工程と同様に、この識別素子４１に格納された情報を読み取り、取得した情報に基づいて、第１の光学素子２４と第２の光学素子２４とを分別する。
【０１１２】
光学素子２４をリサイクルする場合には、光学素子２４の材質に関する情報を識別素子４１に格納し、該情報をもとに光学素子２４を分別することができる。一方、光学素子２４を再利用する場合には、例えば、光学素子２４の機能に関する情報を識別素子４１に格納し、該情報をもとに光学素子２４を分別することができる。
【０１１３】
例えば、ポリエチレンテレフタラート（ＰＥＴ）からなる拡散板は再利用可能、ポリカーボネート（ＰＣ）からなるプリズムシートはリサイクル可能、といった情報を識別素子４１に格納し、該情報を読み取ることにより、再利用可能な光学素子２４とリサイクル可能な光学素子２４とを分別することができる。そして、分別後、リサイクル可能な光学素子２４は、リサイクルされる。また、再利用可能な光学素子２４は、必要に応じて所定の検査を行い再利用される。
【０１１４】
この発明の第３の実施の形態による光学素子の分別方法では、包括部材２２に識別素子４１を設け、リサイクルまたは再利用可能な光学素子２４およびその材質若しくは機能を特定する情報を格納しておくことにより、かかる光学素子２４を外部から認識し、分別することが容易となる。
【０１１５】
この発明の第３の実施の形態による光学素子の分別方法を適用したシステムは、第１の実施の形態で説明したシステム構成を適宜変更して構成することができる。この際、識別素子４１には、リサイクル可能な光学素子２４と再利用可能な光学素子２４とを特定する情報が格納され、この情報に基づいて、光学素子分別機構２１４で、光学素子２４のうち、リサイクル可能な光学素子２４と再利用可能な光学素子２４とが分別され、分別に応じて光学素子２４がリサイクルまたは再利用される。
【０１１６】
（第４の実施の形態）
この発明の第４の実施の形態による光学素子包括体の再利用方法について説明する。第４の実施形態による光学素子包括体の再利用方法は、光学素子包括体２が組み込まれた電子機器から光学素子包括体２を回収し、再利用する方法である。第４の実施の形態による光学素子包括体２の再利用方法では、識別素子４１を、光学素子包括体２および／または電子機器（例えば、図１に示す表示装置など）に設ける。
【０１１７】
図９は、この発明の第４の実施の形態による光学素子包括体の再利用方法のフローチャートを示す。ステップＳ６１において、電子機器から光学素子包括体２を回収し、ステップＳ６２〜ステップＳ６３において、光学素子包括体２の包括部材２２または電子機器の一部に設けられた識別素子４１の情報を読み取り、該電子機器に光学素子包括体２が搭載されているという情報を取得する。識別素子４１の取得は、例えば、バーコードリーダ、ＩＣタグ用リーダなどを用いて行う。
【０１１８】
識別素子４１には、他に、光学素子包括体２に関するスペックなどの情報を格納させておいても良い。取得した情報は、作業者が本発明に係る再利用システムを管理しやすいようにモニタなどに表示する。モニタ３０による取得情報の表示は必ずしも必要ではなく省略してもよい。
【０１１９】
ステップＳ６４において、さらに、取得した情報に基づいて、光学素子包括体２が搭載された電子機器から光学素子包括体２を取り出す。ステップ６５において、その後、必要に応じて、所定の検査を経ることで、最終的に再利用可能な光学素子包括体２と判断される。所定の検査の一例としては、光学特性などの各種スペック（全光線透過率、ヘイズ、屈折率、色度、膜厚、光学素子の光学形状、ピッチ、サイズ、電気抵抗、重量、体積、密度など）の検査や、品質検査（キズ、シワ、反り、たわみ、破れの有無の確認など）が挙げられる。
【０１２０】
ステップＳ６６において、最終的に再利用可能と判断された光学素子包括体２は、照明装置、表示装置などの電子機器の製造工程で再度利用することができる。ステップＳ６７において、該電子機器が製品化され、再度回収された場合には、再び上記の工程によって、光学素子包括体２を再利用することができる。
【０１２１】
一方、ステップＳ７１において、識別素子４１から取得した情報または所定の検査によって再利用不可と判定された光学素子包括体２については、第１の実施形態〜第３の実施の形態で説明した工程に従って、分別し、内包物である光学素子２４をリサイクルまたは再利用することが可能である。そのような場合も想定して、識別素子４１には、光学素子２４に関する情報も格納しておくことが望ましい。
【０１２２】
第４の実施の形態では、光学素子包括体２の包括部材２２、または光学素子包括体２を除く照明装置若しくは表示装置の一部分に識別素子４１を設け、該識別素子４１に、該照明装置または表示装置が光学素子包括体２を有することを示す情報を格納しておくことにより、光学素子包括体２の存在を外部から容易に認識することができ、光学素子包括体２の再利用に寄与することができる。
【０１２３】
この発明の第４の実施の形態による光学素子包括体２の再利用方法を適用したシステムは、例えば、第１の実施の形態で説明したシステム構成を適宜変更して構成することが可能である。
【０１２４】
（第５の実施の形態）
この発明の第５の実施の形態による光学素子包括体２について説明する。この発明の第５の実施の形態による光学素子包括体２は、包括部材２２に配置される識別素子４１による表示特性の劣化を防止するものである。例えば、図３に示すように、光学素子包括体２の包括部材２２に識別素子４１を設け、且つ、識別素子４１が表示装置の表示領域に相当する領域にある場合、バックライト４から発せられた光によって、識別素子４１の像が視認されてしまうおそれがある。仮に表示領域に相当する領域になくとも、バックライト４から表示領域外に漏れた光が、識別素子４１によって遮断されることにより、その部分だけ出射光にムラができ、表示特性を損なう可能性もある。
【０１２５】
この発明の第５の実施の形態による光学素子包括体２では、図１に示すような表示装置に用いた場合において、上述した光学素子のリサイクル方法、光学素子の再利用方法および光学素子の分別方法に適しており、且つ、識別素子４１の設置が表示装置の表示特性に影響を与えないような構成を有するものである。以下、この発明の第５の実施の形態による光学素子包括体の第１〜第６の例について説明する。
【０１２６】
可視光を透過する識別素子の採用（光学素子包括体の第１の例）
この発明の第５の実施の形態による光学素子包括体の第１の例は、識別素子４１として、可視光を透過し、不可視光（非可視光）を反射させるバーコードまたは２次元コードを採用する。例えば、不可視光である紫外光、赤外光によって読み取り可能なバーコードまたは２次元コードを用いる。これらの識別素子４１は、可視光を透過するので、例えば、表示装置のバックライト４などの光源１１からの光を透過するため、識別素子４１の像が表示装置に表示されることがない。バーコードはまたは２次元コードは、印刷などの方法によって、光学素子包括体２の包括部材２２に形成することができる。読み取りに支障がなければ、包括部材２２以外の光学素子２４に形成しても良い。
【０１２７】
なお、紙幣処理装置の分野において、当該紙幣処理装置を用いて紙幣の真贋をチェックするために、紙幣に付与された通し番号（人間の目に見える特徴）に替えて、光を発したり、特殊な磁気特性を有する特殊な材料（人間の目では簡単には気がつかない特徴）で、コード（例えば、バーコード）を作成し、紙幣のチェックに用いることが提案されているが（特表２００５−５２６３０４号公報の段落［０７１３］〜［０７１４］、［０７９１］、［０７９４］の記載を参照）、このようなバーコードを用いても良い。
【０１２８】
拡散機能光学素子による識別素子の像消去（光学素子包括体の第２の例）
図１０に、識別素子４１を、包括部材２２のうち表示装置の表示面側に設け、かつ、光学素子包括体２の表示面側に拡散機能光学素子２４ｃを設けた例を示す。識別素子４１の存在によって、照明装置１からの光が若干遮断されたとしても、拡散機能光学素子２４ｃの拡散機能によって光を散乱させることにより、表示特性に影響を与えないようにすることができる。
【０１２９】
一方、図１１に、識別素子４１を、包括部材２２のうち照明装置１側に設け、且つ、光学素子包括体２の内部に拡散機能光学素子２４ｃを内包させた例を示す。識別素子４１の存在によって、照明装置１からの光が若干遮断されたとしても、拡散機能光学素子２４ｃの拡散機能によって光を散乱させることにより、表示特性に影響を与えないようにすることができる。拡散機能光学素子２４ｃとしては、拡散フィルム、拡散板などを用いることができる。
【０１３０】
この場合、拡散機能光学素子２４ｃに替えて、あるいはそれに加えて、光学素子２４ｂに拡散機能を持たせてもよい。あるいは、拡散機能光学素子２４ｃに替えて、あるいはそれに加えて、包括部材２２自体（照明装置１側でも、表示面側でも、その両方でもよい。）に拡散機能を持たせてもよい。特に、光学素子包括体２の内包物が支持体のみであり、光学素子を設けない場合には、包括部材２２自体に拡散機能を持たせればよい。拡散機能を持たせるには、例えば、包括部材２２の表面に拡散材（例えば、有機または無機微粒子）を含有した樹脂を塗布して拡散層を設けたり、包括部材の材料の中に該拡散材を内添したりする方法を用いることができる。
【０１３１】
表示領域以外に識別素子を設けた例（光学素子包括体の第３の例）
図１２に、包括部材２２のうち、表示領域８０に対応する部分以外に識別素子４１を設けた例を示す。このような構成とすることにより、バックライト４からの光を識別素子４１によって遮断されることがなく、またはその影響を低減することができ、識別素子４１の存在による表示特性の劣化を防止することができる。また、識別素子４１は、光学素子包括体２の側面に設けても良い。
【０１３２】
光学素子包括体の開口部に識別素子（光学素子包括体の第４の例）
図１３に、光学素子包括体２のうち、包括部材２２の端部に設けられた開口部に識別素子４１を設けた例を示す。包括部材２２は、光学素子積層体２１のほぼ全体を覆っている。包括部材２２は、１または複数の開口部７０を有する。このような開口部７０を有することにより、光学素子積層体２１を包括部材２２により包むときなどに、包括部材２２内のエアを外部に排出し、光学素子積層体２１と包括部材２２とを密着させることで、画像不良の発生を抑制することができる。また、このような開口部７０を有することにより、包括部材２２により包まれた支持体２３や光学素子２４の構成材料が揮発したときに、この揮発成分を光学素子包括体２の外部に排出し、包括部材２２内における揮発成分の結露や凝固などを抑制することで、画像不良の発生を抑制することができる。包括部材２２に複数の開口を設ける場合には、光学素子積層体２１の端面のうち、対向する端面またはその近傍に開口をそれぞれ設けることが好ましい。上記揮発成分を光学素子包括体２の外部に効率良く排出し、包括部材２２内における揮発成分の結露や凝固などをより抑制することで、画像不良の発生をより抑制することができるからである。
【０１３３】
このような開口部７０は、通常、表示領域に対応する包括部材２２の部分には設けられないため、かかる開口部７０に識別素子４１を設けることで、識別素子４１を表示領域に対応する部分に設けることを自ずと回避することができる。図１３では、包括部材２２ではなく、そこから露呈した光学素子２４ｃの端部に識別素子４１を設けている。ただし、これは一例であって、他の光学素子２４の露呈部分に識別素子４１を設けてもよい。
【０１３４】
識別素子４１を設ける際には、光学素子２４を作製した後に、光学素子２４の端部に識別素子４１としてバーコードまたは二次元バーコードなどを印刷したり、ＩＣチップを設けたりする方法が挙げられる。或いは、開口部から露出した光学素子の側面に、例えば、カラーリング、マーキングなどによって目印を付けておき、それによって、リサイクルまたは再利用の可否を判別できるようにしても良い。勿論、このような目印も識別素子４１に含み得る。このような方法を採用することで、バーコードやＩＣチップなどを設ける必要がなくなり、リサイクルまたは再利用工程において、それらを読み取るためのリーダ（Ｒｅａｄｅｒ）も省略することができる。
【０１３５】
微小サイズの識別素子を設けた例（光学素子包括体の第５の例）
識別素子４１として、バーコードまたは二次元コードを採用する場合において、バックライトからの光を遮断し表示特性に影響を与えないように、バーコードなどのサイズを微小にすることが望ましい。通常バーコードまたは二次元コードは、全体で縦横２〜４ｃｍの長方形または正方形をしているが、本実施形態においては、縦横２ｃｍ未満、好ましくは１ｃｍ未満のサイズのバーコードまたは二次元コードを採用することが望ましい。このような識別素子を、特に表示領域に相当しない領域に設けた場合には、バックライトからの光が遮断されることはない、または遮断されたとしても最小限に抑えることができるため、表示特性を損なうことはない。
【０１３６】
一方、微小識別素子として、ＩＣタグなどの無線認証できる識別素子（ＲＦＩＤ（Radio Frequency Identification）チップなどとも呼ばれるが、その呼称は限定されない。）を採用しても良い。ＩＣタグは、通常のサイズがｍｍオーダーまたはそれ以下（例えば、日立製作所製μチップの場合、０．０５ｍｍ角のサイズ、厚さ５μｍ）であり、非常に微小である。したがって、ＩＣタグを、特に表示領域に相当しない領域に設けた場合には、バックライトからの光が遮断されることはない、または遮断されたとしても最小限に抑えることができるため、表示特性を損なうことはない。
【０１３７】
ＩＣタグに格納された情報を読み取る場合の電磁波としては、遠隔地点からの情報の読み取りが可能な、３００ＭＨｚ〜３０ＧＨｚの波長のマイクロ波を用いる（かかる通信方式は一般にマイクロ波型と呼ばれる。通常２．４５ＧＨｚ帯を用いる。）ことが望ましい。この場合、通信距離は〜２ｍ程度である。勿論、通信距離は若干劣るが、３ＫＨｚ〜３００ＭＨｚの波長の電磁波を用い、電磁誘導型または電磁結合型の通信方式によって情報の読み取りを行うことも可能である。この場合、通信距離は、電磁誘導型で〜１ｍ程度、電磁結合型で数ミリ程度である。
【０１３８】
上述のとおり、ＩＣタグを用いた場合には、光学素子包括体２を視認できない遠隔地点からも情報を読み取ることができる（例えば、表示装置を分解せずに、外部から光学素子に係る情報を読み取ることができる。）ことに加え、その他の利点として、情報量が大きいこと、再書き込みが可能であること、生産・流通経路において移動中での読み取りが可能であること、多数の情報を一括読み取り可能であること、などが挙げられる。
【０１３９】
特に、移動中での読み取りが可能であることにより、生産・流通経路におけるトレーサビリティ（追跡性）が向上し、生産工程管理、在庫管理、物流工程管理、商品管理などが容易になる。
【０１４０】
また、多数の情報を一括読み取り可能であることにより、例えば、複数の表示装置や照明装置に搭載された、複数の光学素子包括体についての情報を一度に読み取ることができ、生産・流通経路における管理、リサイクル、再利用における情報の認識が容易となる。
【０１４１】
識別素子を光学素子において、表示領域外に位置する領域に設けた例（光学素子包括体の第６の例）
図１４は、識別素子４１を光学素子２４の表示領域外に設けた例を示す。図１４Ａは、識別素子４１を表示領域外の光学素子２４の端部に設けた例である。図１４Ａにおいて、光学素子積層体２１は、ムラ消しフィルム１１１、支持体２３である拡散板１１２、拡散シート１１３、プリズムシート１１４と、反射型偏光子１１５と構成されている。光学素子積層体２１を構成する光学素子２４は、表示装置の表示領域外にある光学素子接合部１０７において、接合されている。光学素子２４の接合方法は、例えば、熱溶着による接合、粘着剤による接合、貫通孔を設けてビスで固定するなどで行うことができるが、これらに限定されるものではない。識別素子４１は表示装置の表示領域外にある、反射型偏光子の端部に設けられている。図１４Ｂは、識別素子を光学素子２４の接合部に設けた例である。図１４Ｂでは、識別素子４１は、反射型偏光子において、表示装置の表示領域外にある接合部１０７に位置する領域に設けられている。
【０１４２】
第６の例のように、光学素子２４において、表示領域外に位置する領域に設けることによって、識別素子４１の像が視認されるのを防止できる。識別素子４１を設ける位置は、上述した例に限定されるものではなく、例えば、拡散板１１２の側面に設けるようにしてもよい。なお、光学素子の種類および配置はあくで一例で、上述した例に限定されるものではない。また、光源１１６は、ＣＣＦＬ直下型のみならず、ＨＣＦＬ直下型、ＬＥＤ直下型（ＲＧＢ３色またはＷ１色）なども採用可能である。或いは、上記光源を用いたエッジライト（サイドライト）型や、フレームの角部から照射するタイプなどの採用し得る。
【０１４３】
この発明は、上述したこの発明の実施形態に限定されるものでは無く、この発明の要旨を逸脱しない範囲内で様々な変形や応用が可能である。例えば、光学素子包括体の内包物である光学素子の種類および構成は、あくまで一例であり、上述した例に限定されるものではない。また、包括部材の材質、形態などもあくまで一例であり、上述した例に限定されるものではない。
【図面の簡単な説明】
【０１４４】
【図１】この発明が適用される光学素子包括体を用いた液晶表示装置の一構成例を概略図である。
【図２】この発明の第１の実施の形態による光学素子のリサイクル方法の概要を説明する概略図である。
【図３】この発明が適用される光学素子包括体の例を示す略線図である。
【図４】この発明の第１の実施の形態による光学素子のリサイクル方法を説明するためのフローチャートである。
【図５】この発明の第１の実施の形態による光学素子のリサイクル方法を適用したシステムの構成を示すブロック図である。
【図６】この発明の第２の実施の形態による光学素子の再利用方法の概要を説明するための概略図である。
【図７】この発明の第２の実施の形態による光学素子の再利用方法を説明するためのフローチャートである。
【図８】この発明の第３の実施の形態による光学素子の分別方法の概要を説明するための概略図である。
【図９】この発明の第４の実施の形態による光学素子包括体の再利用方法を説明するためのフローチャートである。
【図１０】この発明の第５の実施の形態による光学素子包括体の第２の例を示す略線図である。
【図１１】この発明の第５の実施の形態による光学素子包括体の第２の例を示す略線図である。
【図１２】この発明の第５の実施の形態による光学素子包括体の第３の例を示す略線図である。
【図１３】この発明の第５の実施の形態による光学素子包括体の第４の例を示す略線図である。
【図１４】この発明の第５の実施の形態による光学素子包活体の第６の例を示す略線図である。
【図１５】従来の液晶表示装置の構成を示す概略図である。
【符号の説明】
【０１４５】
１・・・照明装置
２・・・光学素子包括体
３ａ・・・偏光子
３・・・液晶パネル
４・・・バックライト
１１・・・光源
１２・・・反射板
２１・・・光学素子積層体
２２・・・包括部材
２３・・・支持体
２４・・・光学素子
２４Ａ・・・光学素子
４１・・・識別素子
【図１】
2010023304.tif 000003
【図２】
2010023304.tif 000004
【図３】
2010023304.tif 000005
【図４】
2010023304.tif 000006
【図５】
2010023304.tif 000007
【図６】
2010023304.tif 000008
【図７】
2010023304.tif 000009
【図８】
2010023304.tif 000010
【図９】
2010023304.tif 000011
【図１０】
2010023304.tif 000012
【図１１】
2010023304.tif 000013
【図１２】
2010023304.tif 000014
【図１３】
2010023304.tif 000015
【図１４】
2010023304.tif 000016
【図１５】
2010023304.tif 000017